(57)【要約】【課題】発掘調査で出土した土器やその破片に付着した土や泥を安全，かつ，迅速に，しかも，安価に水で洗浄する装置の提供を提供する。【解決手段】土器洗浄室の底部の網体に臨ませて垂直方向に対してそれぞれ逆方向に適宜の角度を有していてそれぞれが少なくとも土器やその破片を納めた篩の中心から縁までの長さにわたって洗浄水を噴射しえる噴射口を備えていて洗浄水の水圧によって回転するローターによって保持された複数個のノズルを配置し，土器洗浄室下部に複数段に配置された土や泥を濾過するフィルターと，フィルターで濾過された土や泥を収納するトレイを配置する。【選択図】  図１
2004283772.tif 000002
【特許請求の範囲】
【請求項１】
垂直方向に対してそれぞれ逆方向に適宜の角度を有していてそれぞれが少なくとも土器やその破片を納めた篩の中心から縁までの長さにわたって洗浄水を噴射しえる噴射口を備えており，洗浄水の水圧によって回転するローターによって保持された複数個のノズル，及び，土器やその破片を納めた篩を載置する網体とを備えた土器洗浄室と，土器洗浄室下部に複数段に配置された土や泥を濾過するフィルターと，フィルターで濾過された土や泥を収納するトレイと，ノズルに洗浄水を供給する手段とを備えた土器洗浄装置
【請求項２】
前記ノズルの網体との距離が離隔接近自在としてある請求項１に記載の土器洗浄装置。
【請求項３】
前記ノズルの角度が１５度から３０度に設定されている請求項１にまたは請求項２記載の土器洗浄装置。
【請求項４】
土器洗浄室下部に複数段に配置されたフィルターの第１段のものが土や泥の約５０％を濾過し，第３段のものが土や泥の約３０％を濾過し，第２段のものが土や泥の約１５％を濾過するようにした請求項１から請求項２のいずれかに記載の土器洗浄装置。
【請求項５】
ノズルに洗浄水を供給する手段がタイマーによって制御されるようにした請求項１から請求項４のいずれかに記載の土器洗浄装置。
【発明の詳細な説明】
【０００１】
【発明の属する技術分野】
本発明は，発掘調査により得られた土器とその破片を水で洗浄する装置に関するものである。
【０００２】
【従来の技術】
従来，発掘調査により得られた土器とその破片には土中に埋まっていたために土や泥が付着しており，発掘の際に刷毛等で付着した土や泥をできるだけ除去しているが充分には除去できない。出土した土器は一小破片であっても，遺跡の編年や他地域との交流の証拠となる貴重な資料であり，付着した土や泥を除去するための水洗い中の破損や流出は許されない。このため，最終的には，土器とその破片を水で手洗いしている。そして，土器とその破片を水で手洗いする人手は，発掘調査員では間に合わず，遺跡近隣の住人のアルバイトによってまかなわれているのが実情である。
【０００３】
しかし，近時の発掘調査の盛行により，発掘調査により得られる土器とその破片の数量はすこぶる増大している。特に，長期にわたって営まれた遺跡や規模の大きな遺跡から出土する土器とその破片の数量は膨大なものである。そこで，土器とその破片を水で手洗いする人手の確保に苦しんだり，人手の確保はできても，アルバイト代の確保に苦しんでいる。
【０００４】
このため，土器とその破片に付着した土や泥を，安全，かつ，迅速に，しかも，安価に水で洗浄する装置の提供が要望されている。
【０００５】
【発明が解決しようとする課題】
そこで，本発明は，発掘調査で出土した土器やその破片に付着した土や泥を安全，かつ，迅速に，しかも，安価に水で洗浄する装置の提供を目的とするものである。
【０００６】
【課題を解決するための手段】
上記の目的を達成するための本発明の構成は，垂直方向に対してそれぞれ逆方向に適宜の角度を有していてそれぞれが少なくとも土器やその破片を納めた篩の中心から縁までの長さにわたって洗浄水を噴射しえる噴射口を備えており，洗浄水の水圧によって回転するローターによって保持された複数個のノズル，及び，土器やその破片を納めた篩を載置する網体とを備えた土器洗浄室と，土器洗浄室下部に複数段に配置された土や泥を濾過するフィルターと，フィルターで濾過された土や泥を収納するトレイと，ノズルに洗浄水を供給する手段とを備えたことを特徴とするものである。
【０００７】
また，本発明は，前記ノズルの網体との距離が離隔接近自在とすることができ，対象物に応じて最も適切を洗浄距離を選択することができるばかりでなく，洗浄作業を前洗いし後ノズルを土器やその破片から離隔させて仕上げ洗いをすることにより土器やその破片を破損のおそれなく安全に洗浄することができる。
【０００８】
また，本発明は，それぞれの土器や土器の破片の洗浄に最適な角度として，複数個のノズルの角度を垂直方向に対して１５度から３０度前後に設定することができる。
【０００９】
また，本発明は，土器洗浄室下部に複数段に配置されたフィルターの目を段階的に細かくし，第１段のものが土や泥の約５０％を濾過し，第２段のものが土や泥の約３０％を濾過し，第３段のものが土や泥の約１５％を濾過するようにしてフィルターの目詰まりを防止し，長時間の連続稼働を可能とすることができる。
【００１０】
更に，本発明は，ノズルに洗浄水を供給する手段がタイマーによって制御して洗浄する土器や土器の破片に最適な洗浄を行うことができる。
【００１１】
【発明の実施の形態】
以下，図面を参照して本発明の実施の１形態を説明する。
【００１２】
図示の実施形態の土器土器洗浄装置は，上段に断面円形の土器洗浄室１を，下段に土や泥を納める３段よりなる平面方形のトレイ２，３，４を備えている。
【００１３】
土器洗浄室１には，下部に土器やその破片を納めた篩を載置する網体５が設けてあり，上部にこの網体５に臨んで１対のノズル６，６を回転自在に保持するホルダー７が設けられている。
【００１４】
ホルダー７は，給水孔８を穿設した上部カバー９と，回転部分を納める本体ケース１０とを備えており，本体ケース１０には，スリーブ１１がベアリング１２，１３，１４，及び，ベアリング押え１２ａ，１３ａ，１４ａを介して回転自在に本体ケース１０に内装されている。スリーブ１１内には上部カバー９の下部を延長して形成した取付けガイド管１５が挿入されている。そして，スリーブ１１の下端にはローター１６が本体ケース１０より外出するように形成されている。ローター１６は左右方向に開口しており，ローター１６の開口部にはパイプ１７，１７が取り付けられており，これらのパイプ１７，１７は下向きに屈曲しており，それらの末端には，垂直方向に対してそれぞれ逆方向に１５゜前後の角度を有していてそれぞれが少なくとも土器やその破片を納めた篩の中心から縁までの長さにわたって洗浄水を９０度の角度で噴射しえるよう噴射口６ａを設けたノズル６，６が取り付けられている。上部カバー９の取付けガイド管１５には図示しない溝が切られており，この溝はスリーブ１１の背面と上部カバー９の切り欠き部１９によって形成される室２０に通じており，室２０は上部カバー９の図示しない排水路と排水口と通じていて，洗浄水の一部が溝１８を経由して室２０に至り排水路と排水口と通じて外部に排出される際にスリーブ１１とローター１６を回転させるようになっている。
【００１５】
ノズル６，６の垂直方向に対する角度は，土器とその破片に強固に付着したに土や泥を流去する上で重要であり，発明者の実験によれば，洗浄水を直上からかけるよりも斜め方向１５度前後から３０度前後の角度でかければ３０秒から１分程度で流去することができ，はるかに有効であるあることが確認された。
【００１６】
そして，ホルダー７は，土器やその破片を納めた篩を載置する網体５との距離を適宜設定できるようにしてある。
【００１７】
前記した３段に設けられたトレイ２，３，４は連通しており，個別に前方へ引き出すことができるようになっている。そして，第１段のトレイ２の底板は若干目の粗い網のフィルター２１となっており，第２段のトレイ３の底板は第１段のトレイ２の底板よりも目の密な網のフィルター２２となっており，第３段のトレイ４には第２段のトレイ３のフィルター２２を通過した洗浄水を吸引して外部に排出する排水管２３にフィルター２４を取り付けてある。
【００１８】
上記フィルター２１，２２，２４は，目詰まりを防ぎ，長時間の連続稼働を可能とするため，第１のフィルター２１は土や泥の約５０％を濾過し，第２のフィルター２２は土や泥の約３０％を濾過し，第３段のフィルター２４が土や泥の約１５％を濾過するように目の粗密を設定することが望ましい。
【００１９】
洗浄水をノズル６，６に供給するポンプ（図示せず）は，洗浄する土器とその破片の安全を考慮して低圧ポンプが望ましい。
【００２０】
そして，上記ポンプを所望の時間だけ駆動させて洗浄作業を終えるることができるように，タイマー（図示せず）を備えることが望ましい。タイマーにより設定できる時間は，１秒〜３分までとすることが望ましい。他図中符号１８ａはバックアップリング，１８ｂはスナップリングを示している。
【００２１】
次に上記装置の使用を説明する。
【００２２】
土器洗浄室１の網体５に土器やその破片を納めた篩を載置し，タイマーで時間を設定してポンプを駆動させ，洗浄水を供給すると，洗浄水はホルダー７の給水孔８から上部カバー９の取付けガイド管１５，スリーブ１１，ローター１６，パイプ１７，１７を経てノズル６，６より９０度の角度に，かつ，少なくとも土器やその破片を納めた篩の中心から縁までの長さにわたって噴射される。その際，洗浄水の一部は，上部カバー９の取付けガイド管１５の溝１８，この溝１８に通じる室２０，上部カバー９の排水路を経由して排水口から流出するが，スリーブ１１とローター１６とパイプ１７，１７とノズル６，６を回転させるため，ノズル６，６は回転しながら洗浄水を噴射する。
【００２３】
ノズル６，６は，前記の通り，それぞれ垂直方向に対して逆方向に１５度前後の角度を有しているから，洗浄水は篩の中の土器やその破片に斜め方向から当たるだけでなく，２つのノズル６，６が回転しているため，ほとん絶え間なく角度を変えながら土器やその破片に当たり，土器やその破片に強固に付着している土や泥をほぼ完全に流去する。
【００２４】
そして，土器やその破片に付着していた土や泥は，洗浄水に分散した状態で網体５から落下し，第１段のトレイ２に入るが，第１段のトレイ２の底部のフィルター２１によって約５０％が濾過されて第１段のトレイ２上に残留する。フィルター２１によって濾過された洗浄水は，第２段のトレイ３に入り，第２段のトレイ３の底部のフィルター２２によって土や泥の約３０％が濾過され，濾過された土や泥は第２段のトレイ３上に残留する。最後に洗浄水は第３段のトレイ４に入り，排水管２３から吸引され，フィルター２４により土や泥の約１５％が濾過されて外部に排出されるが，フィルター２４により濾過された土や泥は第３段のトレイ４上に残留する。ある程度トレイ２，３，４上に土や泥が溜まったならば，トレイ２，３，４を引き出して土や泥を捨て，フィルター２１，２２，２４を洗浄することはいうまでもない。
【００２５】
土器とその破片は，慎重な上にも慎重な取扱が求められるので，土器やその破片の洗浄に際しては，前洗いと仕上げ洗いとに分けて行うことが望ましい。そして，仕上げ洗いは，前洗いの時よりもノズル６，６を土器やその破片から離隔させて行う。
【００２６】
【発明の効果】
以上に説明したところから明らかな通り，本発明によれば，土器やその破片を納めた篩を網体に載置してポンプを作動させるだけで土器とその破片に強固に付着した土や泥を，土器とその破片を破損するおそれなく安全に洗浄することができる。
【００２７】
そして，本発明によれば，土器やその破片の洗浄を，ノズルを土器やその破片から離隔接近させてることができるので，対象物に応じて最も適切を洗浄距離を選択することができるばかりでなく，まず前洗いをした後ノズルを土器やその破片から離隔させて仕上げ洗いを行うことにより，より安全に，かつ，より完全に土器やその破片を洗浄することができるのである。しかも，このように，洗浄を前洗いと仕上げ洗いとに分けても，１つ１つを手洗いしている現状と比較して極めて迅速に行うことができる。
【００２８】
更に，本発明によれば，人手がほとんど不要で洗浄作業の作業員の人件費もわずかで済み従来の１／２〜１／３の費用で土器やその破片の洗浄を行うことができるのであって，土器とその破片の洗浄作業を安価に行うことができる。
【００２９】
しかも，本発明によれば，構造が簡単であって故障が少ない装置を安価に提供することができる等の効果も期待できるのである。
【図面の簡単な説明】
【図１】本発明の一実施例の概略説明図
【図２】本発明の一実施例の平面略図
【図３】本発明の一実施例におけるホルダーの断面図
【図４】本発明の一実施例におけるノズルの底面図
【符号の説明】
１    土器洗浄室
２    トレイ
３    トレイ
４    トレイ
５    網体
６    ノズル
７    ホルダー
２１    フィルター
２２    フィルター
２３    排水管
２４    フィルター
【図１】
2004283772.tif 000003
【図２】
2004283772.tif 000004
【図３】
2004283772.tif 000005
【図４】
2004283772.tif 000006